(57)【要約】【課題】優れた耐引き抜け性をもたらすプリント配線板を提供する。【解決手段】プリント配線板１は、ベース基板３と、他の電子部品５０に接続される接続端部１３の、ベース基板３の一方の面側に配置された電気接続用の複数のパッド１５ａ，１７ａと、パッド１５ａ，１７ａに接続された配線９，１１と、接続端部１３の側縁部分に形成され、他の電子部品５０の係合部５８に引き抜き方向で係止される被係合部２８，２９と、を備える。配線９，１１は、ベース基板３の他方の面側に配置されている。プリント配線板１は、他の電子部品との接続方向でみて被係合部２８，２９の前方側でかつベース基板３の一方の面側に配置され、パッド１５ａと一体として形成された補強層３１，３２を備える。【選択図】図１
2015053324.tif 000002
【特許請求の範囲】
【請求項１】
ベース基板と、他の電子部品に接続される接続端部の、前記ベース基板の一方の面側に配置された電気接続用の複数のパッドと、前記パッドに接続された配線と、前記接続端部に形成され、前記他の電子部品の係合部に引き抜き方向で係止される被係合部と、を備えるプリント配線板であって、
前記配線は、前記ベース基板の、前記パッドが配置された面とは反対の他方の面側に配置されており、
前記他の電子部品の接続方向でみて前記被係合部の前方側でかつ前記ベース基板の前記一方の面側に配置され、前記パッドと一体として形成された補強層を備えることを特徴とするプリント配線板。
【請求項２】
ベース基板と、他の電子部品に接続される接続端部の、前記ベース基板の一方の面側に配置された電気接続用の複数のパッドと、前記パッドに接続された配線と、前記接続端部に形成され、前記他の電子部品の係合部に引き抜き方向で係止される被係合部と、を備えるプリント配線板であって、
前記配線は、前記ベース基板の、前記パッドが配置された面とは反対の他方の面側に配置されており、
前記他の電子部品との接続方向でみて前記被係合部の前方側でかつ前記ベース基板の前記一方の面側に配置され、前記パッドとは別体として形成された補強層を備えることを特徴とするプリント配線板。
【請求項３】
前記補強層の表面を覆う絶縁層を備える、請求項１に記載のプリント配線板。
【請求項４】
請求項１〜３のいずれか一項に記載のプリント配線板を他の配線板に接続するコネクタであって、
前記プリント配線板の接続端部が挿入される挿入口を有するハウジングと、
前記ハウジング内に挿入されたプリント配線板の複数のパッドに対応して設けられた複数のコンタクトと、
前記プリント配線板に設けられた被係合部に、プリント配線板の引き抜き方向で係止する係合部と、を備えることを特徴とするコネクタ。
【発明の詳細な説明】
【技術分野】
【０００１】
本発明は、コネクタなどの他の電子部品に接続される接続端部に、電気接続用のパッドを有するプリント配線板及び該プリント配線板を他の配線板に接続するコネクタに関するものである。
【背景技術】
【０００２】
プリント配線板は、デジタルカメラ、デジタルビデオ、ノート型パソコン、携帯電話、ゲーム機などの電子機器において、電子部品間の接続に用いられているが、このような電子機器の軽量化、薄型化、小型化に伴い、プリント配線板自体の薄型化、小型化も要求されるようなってきている。しかし、プリント配線板を薄型化、小型化すると、コネクタによる接続端部の保持力が低下して、配線の取り回しの反力や落下などの衝撃で実装中にコネクタから外れたり接触不良が生じたりするおそれがある。
【０００３】
このようなプリント配線板の引き抜けを防止するため、下記特許文献１には、フレキシブルプリント配線板の平行に延びる一対の側辺の互いに向かい合う位置に切欠きを設け、コネクタに設けられた係合部をこの切欠きに嵌合させることで、コネクタのハウジング内にフレキシブルプリント配線板を保持することが記載されている。
【先行技術文献】
【特許文献】
【０００４】
【特許文献１】特開２００９−８０９７２号公報
【発明の概要】
【発明が解決しようとする課題】
【０００５】
しかし、上記特許文献１に記載のものでは、切欠きが形成された側辺は、ベースフィルム及びこのベースフィルムの両面を覆うカバーレイのみで構成されており、これらのベースフィルム及びカバーレイはいずれもポリイミド製の薄いフィルムで形成されているため、プリント配線板のさらなる薄型化、小型化に伴い、フィルムの厚さを薄くすると、切欠き周辺で十分な強度が得らなくなり、コネクタによるプリント配線板の十分な保持力を確保することは困難となる。
【０００６】
また、プリント配線板の上面側で配線を覆うように設けられたカバーレイは、他の電子部品に接続される接続端部において電気接続用のパッドを露出させるためにパッドの後方（手前）で終端しているが、プリント配線板の薄型化により屈曲性が高くなると、カバーレイの当該終端部の箇所が配線の曲げの基点となって、当該箇所において配線が断線し易いことが本発明者らの研究により確認されている。
【０００７】
それ故本発明は、優れた耐引き抜け性及び耐久性を有するプリント配線板を提供することをその課題とするものである。
【課題を解決するための手段】
【０００８】
上記課題を解決するための本発明の第１態様に係るプリント配線板は、ベース基板と、他の電子部品に接続される接続端部の、上記ベース基板の一方の面側に配置された電気接続用の複数のパッドと、上記パッドに接続された配線と、上記接続端部に形成され、上記他の電子部品の係合部に引き抜き方向で係止される被係合部と、を備えるプリント配線板であって、上記配線は、上記ベース基板の、上記パッドが配置された面とは反対の他方の面側に配置されており、上記他の電子部品との接続方向でみて上記被係合部の前方側でか
つ上記ベース基板の上記一方の面側に配置され、上記パッドと一体として形成された補強層を備えることを特徴とするものである。
【０００９】
また、上記課題を解決するための本発明の第２態様に係るプリント配線板は、ベース基板と、他の電子部品に接続される接続端部の、上記ベース基板の一方の面側に配置された電気接続用の複数のパッドと、上記パッドに接続された配線と、上記接続端部に形成され、上記他の電子部品の係合部に引き抜き方向で係止される被係合部と、を備えるプリント配線板であって、上記配線は、上記ベース基板の、上記パッドが配置された面とは反対の他方の面側に配置されており、上記他の電子部品との接続方向でみて上記被係合部の前方側でかつ上記ベース基板の上記一方の面側に配置され、上記パッドとは別体として形成された補強層を備えることを特徴とするものである。
【００１０】
ここで、本明細書において、前方または前とは、プリント配線板の接続端部の先端側の方向を指し、後方または後とは、これとは逆の方向を指すものである。
【００１１】
なお、本発明の第１態様のプリント配線板にあっては、上記補強層の表面を覆う絶縁層を備えることが好ましい。
【００１２】
また、本発明の第１及び第２態様のプリント配線板にあっては、上記補強層は、上記パッドと同じ厚さを有することが好ましい。
【００１３】
さらに、本発明の第１及び第２態様のプリント配線板にあっては、上記被係合部及び上記補強層を、上記接続端部の両側縁部分にそれぞれ備えることが好ましい。
【００１４】
さらに、本発明の第１及び第２態様のプリント配線板にあっては、上記被係合部は、上記接続端部の側縁部分に形成された切欠き部であることが好ましい。
【００１５】
さらに、本発明の第１及び第２態様のプリント配線板にあっては、フレキシブルプリント配線板であることが好ましい。
【００１６】
本発明はさらに、上記いずれか記載のプリント配線板を他の配線板に接続するコネクタであって、上記プリント配線板の接続端部が挿入される挿入口を有するハウジングと、上記ハウジング内に挿入されたプリント配線板の複数のパッドに対応して設けられた複数のコンタクトと、上記プリント配線板に設けられた被係合部に、プリント配線板の引き抜き方向で係止する係合部と、を備えることを特徴とするものである。
【００１７】
なお、本発明のコネクタにあっては、上記コンタクトと上記プリント配線板との接続及びその解除を担う作動部材を備えることが好ましい。
【００１８】
また、本発明のコネクタにあっては、上記作動部材は、上記ハウジングに幅方向を回動軸線として軸支され、一方向への回動により上記コンタクトと上記プリント配線板の上記パッドとを接続させ、他方向への回動により上記コンタクトと上記プリント配線板の上記パッドとの接続を解除する回動部材であることが好ましい。
【００１９】
さらに、本発明のコネクタにあっては、上記係合部は、上記回動部材の上記一方向への回動に伴い、上記プリント配線板の接続端部の少なくとも一方の側縁部分に設けられた被係合部に上記プリント配線板の引き抜き方向で係止し、上記他方向への回動により該係止を解除するよう構成されたロック部材であることが好ましい。
【発明の効果】
【００２０】
本発明のプリント配線板によれば、接続端部に他の電子部品の係合部に引き抜き方向で係止される被係合部を設けるのに加えて、該被係合部の前方側でかつベース基板の一方の面側に補強層を設けたことにより、被係合部前方の強度を高めることができ、プリント配線板の薄型化、小型化を図ってもなお、他の電子部品の係合部との十分な係止力（耐引き抜き性）を確保することができる。さらに、本発明のプリント配線板によれば、パッドに接続された配線を、ベース基板の他方の面側に配置したことにより、一方の面側（パッドが設けられた側）のカバーレイを省略することができ、該カバーレイの終端部において配線の曲げが集中して配線が断線するのを防止することができる。さらに、このような配線の配置により、プリント配線板の一方の面側の配線をなくすことができるため、該一方の面側にチップ等の他の電子部品を実装する場合の実装スペースを広くとることができるという利点もある。
【図面の簡単な説明】
【００２１】
【図１】本発明に従う一実施形態のフレキシブルプリント配線板の一部を示す平面図である。
【図２】図１に示すフレキシブルプリント配線板の底面図である。
【図３】図１中のＡ−Ａ線に沿う断面図である。
【図４】図１のフレキシブルプリント配線板の接続端部に設けられた前列及び後列のパッド、これらのパッドに接続された裏面側の配線、並びにベースフィルムの表面側に設けられた補強層を模式的に示す斜視図である。
【図５】図１のフレキシブルプリント配線板の変形例を示しており、（ａ）は平面図、（ｂ）は底面図である。
【図６】本発明に従うフレキシブルプリント配線板の接続端部に設けられた被係合部の変形例を示す部分平面図である。
【図７】（ａ）〜（ｃ）はそれぞれ、本発明に従うフレキシブルプリント配線板において、補強層の変形例を示す部分平面図である。
【図８】図１に示すフレキシブルプリント配線板の製造工程の一部を示す断面図である。
【図９】（ａ），（ｂ）はそれぞれ、図１のフレキシブルプリント配線板の変形例を示す、図３と同様の位置での断面図である。
【図１０】（ａ），（ｂ）はそれぞれ、図１のフレキシブルプリント配線板の変形例を示す、図３と同様の位置での断面図である。
【図１１】本発明に従う他の実施形態のフレキシブルプリント配線板を示す平面図である。
【図１２】本発明に従う他の実施形態のフレキシブルプリント配線板を示す平面図である。
【図１３】本発明に従うフレキシブルプリント配線板と、これに適合する本発明に係る一実施形態のコネクタとを示す斜視図である。
【図１４】（ａ），（ｂ）はそれぞれ、図１３のコネクタに設けられた２種のコンタクトを示す斜視図である。
【図１５】図１３に示すコネクタに挿入された図１のフレキシブルプリント配線板を、コネクタのロック部材で係止した状態を示す断面斜視図である。
【図１６】図１３に示すコネクタの回動部材を起立させた状態を示す断面斜視図である。
【図１７】本発明に従うフレキシブルプリント配線板に適合する、本発明の他の実施形態のコネクタを示す斜視図である。
【図１８】図１７に示すコネクタの断面図であって、（ａ）はコネクタのハウジングにフレキシブルプリント配線板を挿入する前の状態を示す断面図であり、（ｂ）はハウジングにフレキシブルプリント配線板を挿入し、スライダによってフレキシブルプリント配線板を押圧した状態を示す断面図である。
【図１９】比較例１のフレキシブルプリント配線板の一部を示す平面図である。
【発明を実施するための形態】
【００２２】
以下、本発明の実施の形態を図面に基づいて詳細に説明する。なお、ここでは、プリント配線板としてフレキシブルプリント配線板（ＦＰＣ）を例にとり説明するが、本発明は、リジットフレキシブルプリント配線板など、他のプリント配線板にも適用可能である。また、以下の説明では、フレキシブルプリント配線板を、ＺＩＦ（Ｚｅｒｏ  Ｉｎｓｅｒｔｉｏｎ  Ｆｏｒｃｅ）コネクタに挿入して使用する例を示しているが、本発明のプリント配線板は、プリント配線板の厚みを利用して嵌合力を得る非ＺＩＦコネクタやバックボードコネクタに対しても使用することができる。
【００２３】
（フレキシブルプリント配線板）
図１〜４に示すように、本実施の形態のフレキシブルプリント配線板１は、ベース基板としてのベースフィルム３と、このベースフィルム３の下面又は裏面（後述のパッドが設けられていない側）を覆うように接着層６により貼り合わされたカバーレイ（以下、便宜上「下面側カバーレイ」という。）７とを備えている。ベースフィルム３の上面又は表面（後述のパッドが設けられている側）には、カバーレイは設けられておらず、ベースフィルム３の上面は露出している。ベースフィルム３は、可撓性を有する絶縁性樹脂により形成されており、例えば、ポリイミド、ポリエステル、ポリエチレンナフタレートを例に挙げることができる。また、下面側カバーレイ７は、ポリイミド等の絶縁性樹脂フィルムを貼着する他、熱硬化インクや紫外線硬化インク、感光性インクを塗布、硬化することにより形成することもできる。
【００２４】
フレキシブルプリント配線板１は、差込方向（接続方向）Ｉの少なくとも一方の端部に、後述するコネクタの挿入口に挿入される接続端部１３を有している。接続端部１３の上面には、差込方向Ｉでみて前後二列１５，１７の千鳥配列で配置された電気接続用の複数のパッド１５ａ，１７ａが形成されている。なお、パッド１５ａ，１７ａは千鳥配列で配置しなくてもよく、前列１５のパッド１５ａの幅方向（差込方向Ｉを横切る方向）Ｗの位置と後列１７のパッド１７ａの幅方向Ｗの位置とを同じとしてもよく（図５参照）、このようなパッド配置によれば、同じ数のパッドを千鳥配置する場合と比べて、フレキシブルプリント配線板１の幅を小さくすることができる。前列１５のパッド１５ａ及び後列１７のパッド１７ａの最上面には、めっき層（例えば金めっき層）１８，１９が形成されている。最上面のめっき層１８，１９は、最低限導電性を有していればよく、耐腐食性や耐摩耗性等も有していることが好ましい。めっき層１８，１９としては、金めっき以外に、導電性カーボン層や半田層などが挙げられる。接続端部１３の最下層には、下面側カバーレイ７の下面に接着層２１を介して貼り合わされた補強フィルム２３が設けられている。補強フィルム２３は、例えばポリイミドにより形成することができる。
【００２５】
また、フレキシブルプリント配線板１は、前列１５のパッド１５ａに接続された第１の配線９と、後列１７のパッド１７ａに接続された第２の配線１１とを有している。第１の配線９及び第２の配線１１は共に、ベースフィルム３の、パッド１５ａ，１７ａが設けられた側とは反対側、つまり、ベースフィルム３と下面側カバーレイ７との間に配置されている。このように第１の配線９及び第２の配線１１を共に、ベースフィルム３の裏面側に配置することで、上面側のカバーレイの省略が可能となる。第１の配線９及び第２の配線１１は、幅方向（差込方向Ｉを横切る方向）Ｗに隣り合うとともに、コネクタへの差込方向（接続方向）Ｉに延びている。第１の配線９及び第２の配線１１は、導電性の公知の金属、例えば銅または銅合金で形成することができる。また、第１の配線９及び第２の配線１１の外面には、めっき層（例えば銅めっき層）４３を形成してもよい。
【００２６】
図３及び４に示すように、前列１５の各パッド１５ａと、ベースフィルム３の下面側（
他方の面側）に配置された第１の配線９とは、ベースフィルム３を貫通するビア２４を介して接続されている。同様に、後列１７の各パッド１７ａと、ベースフィルム３の下面側（他方の面側）に配置された第２の配線１１とは、ベースフィルム３を貫通するビア２５を介して接続されている。図示例では、ビア２４，２５は、パッド１５ａ，１７ａに対して各１つ設けられているが、パッド１５ａ，１７ａの安定性向上や電気抵抗の低減等の観点から、ビア２４，２５は各パッド１５ａ，１７ａに対して２つ以上設けることもできる。
【００２７】
また、図４に示すように、本実施形態では、第１の配線９及び第２の配線１１は、上方の各パッド１５ａ，１７ａに対応する位置に拡幅部９ａ，１１ａを有している。拡幅部９ａ，１１ａは、パッド１５ａ，１７ａの箇所においてフレキシブルプリント配線板１の厚さを均一に保つ、つまり耐クリープ性を向上させる補強材としての役割を有しており、他の電子部品のコンタクトとは直接接触しない。表面側のパッド１５ａ，１７ａに対応する、ベースフィルム３の裏面側の位置に、拡幅部又は補強材がない場合には、特に高温環境下でフレキシブルプリント配線板１に含まれる接着層がクリープ変形し、フレキシブルプリント配線板１の厚さが不均一となり、ひいては電気接触性が悪化するおそれがある。本実施形態では、これらの拡幅部９ａ，１１ａは、上方に位置するパッド１５ａ，１７ａに対応した形状、すなわち略同一の形状を有しているが、パッド１５ａ，１７ａと他の電子部品のコンタクトとの接触安定性が損なわれない範囲において、上方に位置するパッド１５ａ，１７ａよりも小さくまたは大きく形成してもよい。なお、本発明において、これらの拡幅部９ａ，１１ａは設けなくてもよい。
【００２８】
また、図１及び図２に示すように、本実施形態のフレキシブルプリント配線板１は、接続端部１３の側縁部分（幅方向における端縁）の少なくとも一方、ここでは両側縁部分に、接続対象である他の電子部品の係合部（例えば後述するコネクタに設けられたタブ状のロック部材）に引き抜き方向（接続方向とは逆向き）で係止される被係合部２８，２９を有している。図１及び図２に示す例では、被係合部２８，２９は、接続端部１３の側縁部分に形成された切欠き部により構成されているが、これに限らず、図６に示すような貫通孔２９や有底孔（図示省略）により構成してもよい。
【００２９】
そして、本実施形態のフレキシブルプリント配線板１は、図１及び図４に示すように、他の電子部品との接続方向でみて被係合部２８，２９の少なくとも前方側でかつベースフィルム３の表面側（パッド１５ａ，１７ａが設けられた側）に、パッド、ここでは前列１５のパッド１５ａと一体として形成された補強層３１，３２を有している。
【００３０】
補強層３１，３２は、配線９，１１と同じ材料から形成されている。補強層３１，３２は、配線９，１１と同じ厚さとしてもよいが、必要な強度が得られる限りにおいて、配線９，１１よりも厚くまたは薄く形成することもできる。また、補強層３１，３２の幅（幅方向Ｗに沿った長さ）は、十分な引き抜け強度を確保する観点から、被係合部２８，２９の幅の１００％以上とするのがよい。また、補強層３１，３２の長さ（差込方向Ｉに沿った長さ）は、種々の条件（強度や材質等）に応じて、適宜設定することができるものである。なお、補強層３１，３２の形状は、図示例では矩形であるが、これに限らず、図７（ａ）に示すような少なくとも一部に円弧を有する形状、あるいは図７（ｂ），（ｃ）に示すような被係合部２８，２９を取り囲むような形状など、種々の形状を採用することができる。なお、図６及び７（ａ）等のように、補強層３１，３２が被係合部２８，２９の端縁に露出しないように配置することで、フレキシブルプリント配線板１を、製造時に、金型により最終形状に打ち抜き加工する際、当該金型が銅箔を直接せん断することがなくなるため、金型の寿命が高まり、また、バリ等の製造不良を未然に防止することができる。
【００３１】
上記の構成を有する本実施形態のフレキシブルプリント配線板１によれば、接続端部１
３の側縁部分に他の電子部品の係合部に引き抜き方向で係止される被係合部２８，２９を設けるのに加えて、該被係合部２８，２９の前方側でかつベースフィルム３の一方の面側に補強層３１，３２を設けたことにより、被係合部２８，２９の前方側の強度を高めることができ、フレキシブルプリント配線板１の薄型化、小型化を図ってもなお、他の電子部品の係合部との十分な係止力（耐引き抜け性）を確保することができる。さらに、補強層３１，３２はパッド１５ａと一体に形成されていることにより、補強層３１，３２の面積を大きくすることができるとともに、補強層３１，３２に支持されているため、補強層３１，３２をパッド１５ａと別体として形成した場合に比べてより高い耐引き抜け性を実現することができる。
【００３２】
さらに、本実施形態のフレキシブルプリント配線板１によれば、前列１５のパッド１５ａに接続された第１の配線９と、後列１７のパッド１７ａに接続された第２の配線１１とを共に、ベースフィルム３の他方の面（裏面）に配置したことにより、比較として図１９に示すような上面側のカバーレイ５を省略することができ、上面側のカバーレイの終端部５ａにおいて配線９，１１の曲げが集中するのを抑制することができ、当該曲げの集中による配線の断線を防止することができる。さらに、このような配線９，１１の配置により、フレキシブルプリント配線板１の表面側の配線をなくすことができるため、該表面側にチップ等の他の電子部品を実装する場合の実装スペースを広くとることができるという利点もある。
【００３３】
さらに、本実施形態のフレキシブルプリント配線板１のように、第１の配線９及び第２の配線１１の、パッド１５ａ，１７ａに対応する位置に、拡幅部９ａ，１１ａを設ければ、パッド１５ａ，１７ａに接触する他の電子部品のコンタクトが、製作誤差等により正規の接触位置よりもパッド内において多少ずれて接触した場合でも、フレキシブルプリント配線板１の、コンタクトが接触する部分の厚さを均一とすることができているため、耐クリープ性を向上させることができるため、パッド１５ａ，１７ａと他の電子部品のコンタクトとの安定した接続を長期間に亘って維持することができる。特に、本実施形態のように、拡幅部９ａ，１１ａを、パッド１５ａ，１７ａに対応した形状とすることで、当該効果をより確実に得ることができる。
【００３４】
さらに、本実施形態のフレキシブルプリント配線板１のように、補強層３１，３２を、同一平面に位置する配線９，１１と同じ厚さとすれば、フレキシブルプリント配線板１の、他の電子部品の係合部が当接する箇所において十分な厚さを確保することができ、フレキシブルプリント配線板１の耐引き抜け性を確実に高めることができる。
【００３５】
さらに、本実施形態のフレキシブルプリント配線板１のように、被係合部２８，２９及び補強層３１，３２を、接続端部１３の両側縁部分に設ければ、フレキシブルプリント配線板１の耐引き抜け性をさらに高めることができるとともにより安定した保持を実現することができる。
【００３６】
（フレキシブルプリント配線板の製造方法）
次に、図１〜４で示したフレキシブルプリント配線板１の製造方法の一例について、図８〜図１０及び図３を参照しながら説明する。
【００３７】
まず、図８（ａ）に示すように、ポリイミドからなるベースフィルム３の両面にそれぞれ銅箔３６，３７が積層された両面銅張積層体３９を出発材料として形成する。両面銅張積層体３９は、ベースフィルム３に銅を蒸着またはスパッタリングした後に銅めっきをしたものであっても、ベースフィルム３と銅箔３６，３７とを接着剤等を介して貼り合わせたものであってもよい。次いで、図８（ｂ）に示すように、両面銅張積層体３９の所定位置に、レーザ加工やＣＮＣドリル加工等によって下方（下面側）から銅箔３７及びベース
フィルム３を貫通するブラインドビアホール４１，４２を形成する。
【００３８】
次に、図８（ｃ）に示すように、ＤＰＰ（Ｄｉｒｅｃｔ  Ｐｌａｔｉｎｇ  Ｐｒｏｃｅｓｓ）処理によって、ブラインドビアホール４１，４２の内周面に導体層を形成し、次いで、ブラインドビアホール４１，４２の内面を含めた両面銅張積層体３９の表面全体に銅めっき層４３を形成する。なお、銅めっき層４３を形成するに際しては、ボタンめっきと呼ばれる構造の、部分的にめっきする工法を採用してもよい。これにより、両面銅張積層体３９の上面側の銅箔３６と、下面側の銅箔３７とを電気的に接続するビア２４，２５が形成される。ビア２４，２５は、ブラインドビアホール４１，４２の内周面のみをめっきしてなる中空のものでも、ブラインドビアホール４１，４２内をめっきで充填もしくは導電性材料で充填したいわゆるフィルドビアであってもよい。続いて、図８（ｄ）に示すように、上面側の銅箔３６及び下面側の銅箔３７をパターンニングして、ベースフィルム３の表面上のパッド４８，４９、ベースフィルム３の下面側の配線パターン４６，４７及び補強層（図示省略）を形成する。上面側の銅箔３６及び下面側の銅箔３７のパターンニングは、例えばフォトリソグラフィ技術により上面側の銅箔３６及び下面側の銅箔３７の表面にマスクパターンを形成した後、上面側の銅箔３６及び下面側の銅箔３７をエッジングすることで行われる。
【００３９】
次いで、配線パターンが形成された両面銅張積層体３９の下面に下面側カバーレイ７（図３参照）を、接着剤を介して貼り合わせる。
【００４０】
次いで、上面側に形成されたパッド１５ａ，１７ａの表面に金めっき層１８，１９を形成し、次いで、接続端部の両側縁部分を金型等によって部分的に除去することで当該両側縁部分に被係合部２８，２９を形成する。これにより、図１〜４に示すようなフレキシブルプリント配線板１が完成する。なお、ブラインドビアホール４１，４２は、図９（ａ）に示すように、上方側（上面側）から形成してもよく、あるいは図９（ｂ）に示すように、スルーホールとして形成することもできる。また、上述のように、銅めっき層４３は、両面銅張積層体３９の表面全体に形成しなくてもよく、例えば、図１０（ａ）に示すように、接続端部１３の領域にのみに形成してもよく（両面部分めっき）、図１０（ｂ）に示すように、接続端部１３の領域において、上面側の銅箔３６上にのみ形成してもよい（片面部分めっき）。
【００４１】
（他の実施形態のフレキシブルプリント配線板）
次いで、本発明に係る他の実施形態のフレキシブルプリント配線板について、図１１を参照して説明する。なお、先の実施形態のフレキシブルプリント配線板１における要素と同様の要素には同一の符号を付し、その詳細は省略する。
【００４２】
図１１に示すフレキシブルプリント配線板１は、補強層３１，３２の表面を覆う絶縁層３４，３５を有している点で、先の実施形態のフレキシブルプリント配線板１とは異なるものである。詳細には、絶縁層３４，３５は、絶縁性樹脂、例えば、ポリイミド、ポリエステル、ポリエチレンナフタレートにより形成することができる。図示例では、絶縁層３４，３５は、パッド１５ａ，１７ａの幅方向外側で、後列１７のパッド１７ａの手前位置から接続端部１３の先端位置まで設けられているが、絶縁層３４，３５は補強層３１，３２だけを覆うように設けることもできる。
【００４３】
本実施形態のフレキシブルプリント配線板１によれば、補強層３１，３２によりフレキシブルプリント配線板１の耐引き抜け性を高めることができる上、絶縁層３４，３５により、補強層３１，３２と他の電子部品の係合部とを絶縁できるため、他の電子部品の係合部がグランドに接続されている場合においても、パッド１５ａの信号が補強層３１，３２及び他の電子部品の係合部を介して、グランドへ短絡するのを防止することができる。さ
らに、このような絶縁層３４，３５は、被係合部２８，２９の周囲の強度を高める補強部材としても役立つものであり、フレキシブルプリント配線板１の耐引き抜け性を更に高めることもできる。
【００４４】
次いで、図１２に、本発明に従う更に他の実施形態のフレキシブルプリント配線板を示すように、図１２のフレキシブルプリント配線板１は、前列１５のパッド１５ａに接続された第１の配線９と、後列１７のパッド１７ａに接続された第２の配線１１とを共に、ベースフィルム３の他方の面（裏面）に配置しているものの、他の電子部品との接続方向でみて、被係合部２８，２９の少なくとも前方側でかつベースフィルム３の一方の面側（表面側）に配置された補強層３１’，３２’を、パッド１５ａ，１７ａとは別体として形成している点で、図１〜４に示した実施形態のフレキシブルプリント配線板１とは異なる。
【００４５】
詳細には、補強層３１’，３２’は、絶縁性樹脂、例えば、ポリイミド、ポリエステル、ポリエチレンナフタレートにより形成することができる。図示例では、補強層３１’，３２’は、パッド１５ａ，１７ａの幅方向外側で、後列１７のパッド１７ａの手前位置から接続端部１３の先端位置まで被係合部２８，２９を取り囲むように設けられているが、補強層３１’，３２’は、他の電子部品との接続方向でみて被係合部２８，２９の前方側部分にのみ設けてもよい。
【００４６】
このようなフレキシブルプリント配線板１によれば、補強層３１’，３２’によりフレキシブルプリント配線板１の耐引き抜け性を高めることができる上、他の電子部品の係合部がグランドに接続されている場合においても、パッド１５ａの信号が補強層３１’，３２’及び他の電子部品の係合部を介して、グランドへ短絡するのを防止することができる。
【００４７】
以上、本発明に従うフレキシブルプリント配線板の実施形態について説明したが、本発明はこれに限定されることはなく、様々な変更が可能である。
【００４８】
（コネクタ）
次に、上述したフレキシブルプリント配線板１を他の配線板に接続する、本発明に従う一実施形態のコネクタについて説明する。
【００４９】
図１３に示すように、コネクタ５０は、フレキシブルプリント配線板１が挿入されるハウジング５２と、フレキシブルプリント配線板１のパッド１５ａ，１７ａと電気的に接続される複数のコンタクト５４と、ハウジング５２に挿入されたフレキシブルプリント配線板１をコンタクト５４を介して押圧する、作動部材としての回動部材５６と、フレキシブルプリント配線板１の接続端部１３の両側縁部分に設けられた被係合部２８，２９に係止する、係合部としてのタブ状のロック部材５８（図１５参照）と、を備えている。
【００５０】
ハウジング５２は電気絶縁性のプラスチックで形成されており、公知の射出成形法によって製作することができる。材質としては寸法安定性や加工性やコスト等を考慮して適宜選択されるが、一般的にはポリブチレンテレフタレート（ＰＢＴ）、ポリアミド（６６ＰＡ、４６ＰＡ）、液晶ポリマー（ＬＣＰ）、ポリカーボネート（ＰＣ）、ポリテトラフルオロエチレン（ＰＴＦＥ）、またはこれらの合成材料を挙げることができる。
【００５１】
ハウジング５２には、コンタクト５４が挿入される所要数の挿入溝が設けられるとともに、後方側にフレキシブルプリント配線板１が挿入される挿入口６０が設けられている。
【００５２】
各コンタクト５４は、プレス加工や切削加工等、公知の加工方法によって製作可能である。コンタクト５４は、バネ性や導電性などが要求され、黄銅やベリリウム銅、リン青銅
等により形成することができる。また、図１４（ａ），（ｂ）に示すように、コンタクト５４は、フレキシブルプリント配線板１の前列１５のパッド１５ａと後列１７のパッド１７ａとに対応して２種類用いられるとともに、挿入方向を互い違いに代えて千鳥配列されている。２種類のコンタクト５４ａ，５４ｂはいずれも、フレキシブルプリント基板１の接続端部１３が挿入される後方側の開口６２，６３と、回動部材５６の後述するカム６５が挿入される前方側の開口６７，６８とが形成された略Ｈ形状を有している。また、ロック部材５８も同様に、図１５に示すように、フレキシブルプリント配線板１の接続端部１３が挿入される後方側の開口５８ａと、回動部材５６の後述するカム６５が挿入される前方側の開口５８ｂとが形成された略Ｈ形状を有しており、コンタクト５４の両側にそれぞれ配置されている。
【００５３】
図１６に示すように、回動部材５６は、その両端においてハウジング５２に、幅方向Ｗを回動軸線として軸支されている。また、回動部材５６は、回動軸線上に、上述したコンタクト５４の前方側の開口６７，６８及びロック部材５８の前方側の開口５８ｂに挿入されるカム６５を有しており、ハウジング５２の挿入口６０にフレキシブルプリント配線板１を挿入した後に、回動部材５６を傾倒方向へ回動することで、カム６５によって、コンタクト５４及びロック部材５８のバネ力に抗してコンタクト５４の前方側の開口６７，６８及びロック部材５８の前方側の開口５８ｂが押し広げられる。これにより、図１５に示すように、コンタクト５４の後方側の開口６２，６３及びロック部材５８の後方側の開口５８ａが狭まり、コンタクト５４とフレキシブルプリント配線板１との電気的な接続及びロック部材５４の被係合部２８，２９への係止が行われる。反対に、図１６に示すように、回動部材５６を起立方向へ回動することで、これらの電気的な接続及びロック部材５８の係止は解除される。
【００５４】
なお、作動部材としては、上述したような回動部材５６のほか、ハウジングにフレキシブルプリント配線板を挿入した後に挿入し、フレキシブルプリント配線板をコンタクトに押し付けるスライダであってもよい。具体的には、図１７及び図１８に示すようなコネクタ７０であって、主としてハウジング７２とコンタクト７４とスライダ７６とを備えて構成されるものがある。コンタクト７４は、図１８のように略コ字形状をしており、主にフレキシブルプリント配線板１と接触する接触部７４ａと、基板等に接続する接続部７４ｂと、ハウジング７２に固定される固定部７４ｃとから構成されている。このコンタクト７４は、圧入等によってハウジング７２に固定されている。スライダ７６は、図１８のように略楔形状をしており、所要数のコンタクト７４が配置されたハウジング７２にフレキシブルプリント配線板１を挿入した後に、スライダ７６を挿入する。このようなスライダ７６は、主にハウジング７２に装着される装着部７６ａと、フレキシブルプリント配線板１をコンタクト７４の接触部７４ａに押圧する押圧部７６ｂとを備えている。フレキシブルプリント配線板１が挿入される以前は、スライダ７６はハウジング７２に仮装着された状態になっており、フレキシブルプリント配線板１が挿入された後にスライダ７６を挿入すると、図１８（ｂ）のようにフレキシブルプリント配線板１と平行にスライダ７６の押圧部７６ｂが挿入され、コンタクト７４の接触部７４ａにフレキシブルプリント配線板１が押圧されるようになる。なお、図示は省略するが、本コネクタ７０も、先のコネクタ５０と同様、スライダ７６の挿入時に、フレキシブルプリント配線板１に設けられた被係合部２８，２９に係合する係合部を有している。
【００５５】
また、図１３〜１６に示したコネクタ５０では、回動部材５６を、ハウジング５２の、挿入方向前方位置に配置する例を示したが、回動部材５６は、ハウジング５２の、挿入方向後方位置に配置されるものであってもよい（図示省略）。
【実施例】
【００５６】
次に、本発明の効果を確認するため試験を行ったので以下説明する。
【００５７】
（実施例１）
実施例１として、図１〜４に示す構造を有するフレキシブルプリント配線板を試作した。具体的には、フレキシブルプリント配線板は、接続端部に、前列１５枚、後列１４枚の千鳥配列されたパッドを有し、パッドのピッチは０．１７５ｍｍ（各列では０．３５ｍｍ）であり、前列のパッドの配線及び後列のパッドの配線を共にベースフィルムの、パッドが設けられた面とは反対側の面（裏面）に有し、さらに切欠き部（被係合部）の前方側でかつ表面側に、前方のパッドと一体の補強層を配設したものである。パッド、配線及び補強層は銅製とし、パッドの上面には金めっき層を形成した。ベースフィルムには、厚さ２０μｍのポリイミド製のフィルムを用いた。下面側カバーレイには、厚さ１２．５μｍのポリイミド製のフィルムを用いた。補強フィルムには、厚さ１２．５μｍのポリイミド製のフィルムを用いた。補強層は、幅０．５ｍｍ、長さ０．５ｍｍ、厚さ２２．５μｍ（銅：１２．５μｍ，銅めっき：１０μｍであり、配線と同じである。）とした。また、切欠き部の寸法は、幅を０．５ｍｍ、長さを０．５ｍｍとした。
【００５８】
（実施例２）
実施例２として、ベースフィルムの上面側（パッドが形成された側）に図１１に示すような絶縁層を有する点のみが実施例１とは異なるフレキシブルプリント配線板を試作した。詳細には、実施例２のフレキシブルプリント配線板は、厚さ１２．５μｍのポリイミド製のフィルムからなる絶縁層を、パッドの幅方向外側で、補強層を覆うように後列のパッドの手前位置から接続端部の先端位置まで配設したものである。
【００５９】
（実施例３）
実施例３として、図１２に示すような、パッドとは別体として形成された補強層を有する点が実施例１とは異なるフレキシブルプリント配線板を試作した。詳細には、実施例３のフレキシブルプリント配線板は、厚さ１２．５μｍのポリイミド製のフィルムからなる補強層を、パッドの幅方向外側で被係合部としての切欠き部を取り囲むように、後列のパッドの手前位置から接続端部の先端位置まで配設したものである。
【００６０】
（比較例１）
比較例１として、図１９に示すように、上記補強層を有していない点、前方のパッド１５ａの配線９と後方のパッド１７ａの配線１１とを共にベースフィルム３の表面側に配置した点及び配線９，１１を覆う上面側カバーレイ５を有する点を除いて、実施例１と同じ構造を有するフレキシブルプリント配線板を試作した。
【００６１】
（耐引抜け性試験）
耐引抜け性試験は、実施例１〜３及び比較例１のフレキシブルプリント配線板をそれぞれ、図１３に示した構造を有するコネクタ（但し、コンタクトは設けていない。）に接続し、タブ状のロック部材のみでフレキシブルプリント配線板を嵌合、保持した状態において、引張試験機で、各フレキシブルプリント配線板をコネクタに対して、引き抜き方向（接続方向とは逆向き）に引っ張り、フレキシブルプリント配線板がコネクタから外れたときの引張試験機に加わる荷重を測定することにより行った。
【００６２】
（耐久性試験）
耐久性試験は、基板に図１３に示した構造を有するコネクタ（コンタクトは設けられている。）に実装し、該コネクタに、実施例１〜３及び比較例１のフレキシブルプリント配線板をそれぞれ挿入した後、各フレキシブルプリント配線板を上方向にＺ形状にねじり、基板からの高さが１０ｍｍ以下となるようにフレキシブルプリント配線板を板で上から押さえた状態で、フレキシブルプリント配線板を前後に５００回摺動させ、そのときの配線の断線の有無を検査することにより行った。
【００６３】
（試験結果）
耐引抜け性試験の結果、比較例１のフレキシブルプリント配線板における、フレキシブルプリント配線板がコネクタから外れたときの荷重を１００％として、実施例１のフレキシブルプリント配線板における、フレキシブルプリント配線板がコネクタから外れたときの荷重は１４６％であり、実施例２のフレキシブルプリント配線板における、フレキシブルプリント配線板がコネクタから外れたときの荷重は１６８％であり、実施例３のフレキシブルプリント配線板における、フレキシブルプリント配線板がコネクタから外れたときの荷重は１１５％であり、本発明の適用により、フレキシブルプリント配線板の耐引き抜け性が向上することが確認された。また、耐久性試験の結果、比較例１では、上面側カバーレイの終端部の箇所において全ての配線が断線したが、実施例１〜３では、このような断線は発生しなかった。
【産業上の利用可能性】
【００６４】
かくして、本発明により、優れた耐引き抜け性及び耐久性を有するプリント配線板を提供することが可能となった。
【符号の説明】
【００６５】
１  フレキシブルプリント配線板
３  ベースフィルム
４  接着層
５  上面側カバーレイ
５ｂ，５ｃ  絶縁層
６  接着層
７  下面側カバーレイ
９，１１  配線
１３  接続端部
１５ａ  前列のパッド
１７ａ  後列のパッド
１８，１９  めっき層
２１  接着層
２３  補強フィルム
２４，２５  ビア
２８，２９  被係合部
３１，３２，３１’，３２’  補強層
３４，３５  絶縁層
３６，３７  銅箔
３９  両面銅張積層体
４１，４２  ブラインドビアホール
５０  コネクタ
５２  ハウジング
５４  コンタクト
５６  回動部材（作動部材）
５８  ロック部材（係合部）
６５  カム
７０  コネクタ
７２  ハウジング
７４  コンタクト
７６  スライダ
【図１】
2015053324.tif 000003
【図２】
2015053324.tif 000004
【図３】
2015053324.tif 000005
【図４】
2015053324.tif 000006
【図５】
2015053324.tif 000007
【図６】
2015053324.tif 000008
【図７】
2015053324.tif 000009
【図８】
2015053324.tif 000010
【図９】
2015053324.tif 000011
【図１０】
2015053324.tif 000012
【図１１】
2015053324.tif 000013
【図１２】
2015053324.tif 000014
【図１３】
2015053324.tif 000015
【図１４】
2015053324.tif 000016
【図１５】
2015053324.tif 000017
【図１６】
2015053324.tif 000018
【図１７】
2015053324.tif 000019
【図１８】
2015053324.tif 000020
【図１９】
2015053324.tif 000021
【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
ベース基板と、他のコネクタに接続される接続端部の、前記ベース基板の一方の面側に配置された電気接続用の複数のパッドと、前記パッドに接続された配線と、前記接続端部に形成され、前記他のコネクタの係合部に引き抜き方向で係止される被係合部と、を備えるプリント配線板であって、
前記配線は、前記ベース基板の、前記パッドが配置された面とは反対の他方の面側に配置されるとともに、前記ベース基板を貫通するビアを介して前記パッドに接続され、
前記他のコネクタの接続方向でみて前記被係合部の前方側でかつ前記ベース基板の前記一方の面側に配置され、前記パッドと一体として形成された補強層を備え、
前記配線は、前記ベース基板の前記他方の面側の、前記パッドに対応する位置に設けられた拡幅部を有し、
前記拡幅部は、前記パッドに対応する形状を有することを特徴とするプリント配線板。
ることを特徴とするプリント配線板。
【請求項２】
ベース基板と、他のコネクタに接続される接続端部の、前記ベース基板の一方の面側に配置された電気接続用の複数のパッドと、前記パッドに接続された配線と、前記接続端部に形成され、前記他のコネクタの係合部に引き抜き方向で係止される被係合部と、を備えるプリント配線板であって、
前記配線は、前記ベース基板の、前記パッドが配置された面とは反対の他方の面側に配置されるとともに、前記ベース基板を貫通するビアを介して前記パッドに接続され、
前記他のコネクタとの接続方向でみて前記被係合部の前方側でかつ前記ベース基板の前記一方の面側に配置され、前記パッドとは別体として形成された補強層を備え、
前記配線は、前記ベース基板の前記他方の面側の、前記パッドに対応する位置に設けられた拡幅部を有し、
前記拡幅部は、前記パッドに対応する形状を有することを特徴とするプリント配線板。
【請求項３】
前記補強層の表面を覆う絶縁層を備える、請求項１に記載のプリント配線板。
【請求項４】
請求項１〜３のいずれか一項に記載のプリント配線板を他の配線板に接続するコネクタであって、
前記プリント配線板の接続端部が挿入される挿入口を有するハウジングと、
前記ハウジング内に挿入されたプリント配線板の複数のパッドに対応して設けられた複数のコンタクトと、
前記プリント配線板に設けられた被係合部に、プリント配線板の引き抜き方向で係止する係合部と、を備えることを特徴とするコネクタ。
【手続補正２】
【補正対象書類名】明細書
【補正対象項目名】０００８
【補正方法】変更
【補正の内容】
【０００８】
上記課題を解決するための本発明の第１態様に係るプリント配線板は、ベース基板と、他の電子部品に接続される接続端部の、上記ベース基板の一方の面側に配置された電気接続用の複数のパッドと、上記パッドに接続された配線と、上記接続端部に形成され、上記他の電子部品の係合部に引き抜き方向で係止される被係合部と、を備えるプリント配線板であって、上記配線は、上記ベース基板の、上記パッドが配置された面とは反対の他方の面側に配置されており、上記他の電子部品との接続方向でみて上記被係合部の前方側でかつ上記ベース基板の上記一方の面側に配置され、上記パッドと一体として形成された補強層を備えることを特徴とするものである。また、配線は、ベース基板の他方の面側であって、パッドに対応する位置に設けられた拡幅部を有し、その拡幅部は、パッドに対応する形状を有するように構成できる。
【手続補正３】
【補正対象書類名】明細書
【補正対象項目名】０００９
【補正方法】変更
【補正の内容】
【０００９】
また、上記課題を解決するための本発明の第２態様に係るプリント配線板は、ベース基板と、他の電子部品に接続される接続端部の、上記ベース基板の一方の面側に配置された電気接続用の複数のパッドと、上記パッドに接続された配線と、上記接続端部に形成され、上記他の電子部品の係合部に引き抜き方向で係止される被係合部と、を備えるプリント配線板であって、上記配線は、上記ベース基板の、上記パッドが配置された面とは反対の他方の面側に配置されており、上記他の電子部品との接続方向でみて上記被係合部の前方側でかつ上記ベース基板の上記一方の面側に配置され、上記パッドとは別体として形成された補強層を備えることを特徴とするものである。また、配線は、ベース基板の他方の面側であって、パッドに対応する位置に設けられた拡幅部を有し、その拡幅部は、パッドに対応する形状を有するように構成できる。